(57)【要約】【課題】通常ユーザー側で行っていた印字後の切断工程を設ける必要がなく、繊維のホツレや布帛の破れ等が発生しない、インクジェット記録用布帛およびその製造方法を提供することにある。【解決手段】本発明に係るインクジェット記録用布帛は、布帛と、前記布帛の一方の面に貼り合わせた剥離可能なフィルム体と、を有するインクジェット記録用布帛であって、前記布帛は、あらかじめ定型サイズにカットされたものである。【選択図】図１
2009045887.tif 000002
【特許請求の範囲】
【請求項１】
布帛と、
前記布帛の一方の面に貼り合わせた剥離可能なフィルム体と、
を有するインクジェット記録用布帛であって、
前記布帛は、あらかじめ定型サイズにカットされた、インクジェット記録用布帛。
【請求項２】
請求項１において、
前記布帛は、ポリエステル樹脂からなる、インクジェット記録用布帛。
【請求項３】
請求項１または２において、
前記布帛のカットされた断面は、溶融処理された、インクジェット記録用布帛。
【請求項４】
請求項１ないし３のいずれかにおいて、
前記布帛の印字面の表面に、カチオン系樹脂を含むインク受容層を有する、インクジェット記録用布帛。
【請求項５】
請求項１ないし４のいずれかにおいて、
前記フィルム体は、インク吸収性を有する、インクジェット記録用布帛。
【請求項６】
請求項１ないし５のいずれかにおいて、
前記布帛を、前記フィルム体の一方の面に、隙間を設けて貼り合わせた、インクジェット記録用布帛。
【請求項７】
布帛の一方の面に、剥離可能なフィルム体を貼り合わせる第１の工程と、
前記布帛を定型サイズに溶融カットする第２の工程と、
を含む、インクジェット記録用布帛の製造方法。
【発明の詳細な説明】
【技術分野】
【０００１】
本発明は、インクジェット記録用布帛およびインクジェット記録用布帛の製造方法に関する。
【背景技術】
【０００２】
従来から布帛に対して色材を用いてインクジェット方式で記録する技術が開発されてきている。一般的にインクジェット記録用布帛は、布帛の寸法安定性を確保し、印字時にインクの裏抜けや画像のゆがみを生じないようにするため、印字面の裏面に剥離可能な紙またはフィルムを貼り合わせている（例えば、特許文献１参照）。
【０００３】
ところで、インクジェット記録用布帛は、幅２４または３６インチで、長さ２０〜３０ｍ程度のロール状態で提供される。したがって、ユーザーはインクジェット記録用布帛に印字した後に使用形態に合わせたサイズに切断する工程を設ける必要がある。インクジェット記録用布帛は、ポリエステル等の繊維からなるため、通常の切断方法（手切りなど）では繊維のホツレや布帛の破れ等が発生してしまう。これを防ぐ方法として、加熱して繊維を溶着させながら切断する、いわゆる「溶融カット」と呼ばれる方法がある。
【０００４】
しかしながら、「溶融カット」を行うためには、熱溶融カッターや耐熱マット等の大規模な設備が必要であり、一般ユーザーには到底なし得るものではなかった。
【特許文献１】特開平８−３１１７８５号公報
【発明の開示】
【発明が解決しようとする課題】
【０００５】
本発明の目的は、通常ユーザー側で行っていた印字後の切断工程を設ける必要がなく、繊維のホツレや布帛の破れ等が発生しない、インクジェット記録用布帛およびその製造方法を提供することにある。
【課題を解決するための手段】
【０００６】
本発明に係るインクジェット記録用布帛は、布帛と、前記布帛の一方の面に貼り合わせた剥離可能なフィルム体と、を有するインクジェット記録用布帛であって、前記布帛は、あらかじめ定型サイズにカットされたものである。
【０００７】
上記インクジェット記録用布帛は、あらかじめ定型サイズにカットされているので、従来ユーザー側で行われていた印字後の使用形態に合わせたサイズへのカットが不要となる。したがって、ユーザーは上記インクジェット記録用布帛に印字した後、紙またはフィルムを剥がすだけで、屋内外バナーやノボリなどを作ることができる。
【０００８】
本発明に係るインクジェット記録用布帛において、前記布帛は、ポリエステル樹脂からなることができる。
【０００９】
本発明に係るインクジェット記録用布帛において、前記布帛のカットされた断面は、溶融処理されることができる。
【００１０】
本発明に係るインクジェット記録用布帛において、前記布帛の印字面の表面に、カチオン系樹脂を含むインク受容層を有することができる。
【００１１】
本発明に係るインクジェット記録用布帛において、前記フィルム体は、インク吸収性を有することができる。
【００１２】
本発明に係るインクジェット記録用布帛において、前記布帛を、前記フィルム体の一方の面に、隙間を設けて貼り合わせることができる。
【００１３】
本発明に係るインクジェット記録用布帛の製造方法は、布帛の一方の面に、剥離可能なフィルム体を貼り合わせる第１の工程と、前記布帛を定型サイズに溶融カットする第２の工程と、を含む。
【００１４】
上記インクジェット記録用布帛の製造方法によれば、布帛を定型サイズにカットする手段として布帛のみを溶着させながら切断する溶融カットと呼ばれる方法を採用しているため、屋内外バナーやノボリなどの切断面において繊維のホツレや布帛の破れ等が一切発生しない。
【発明を実施するための最良の形態】
【００１５】
本発明に係るインクジェット記録用布帛は、布帛と、前記布帛の一方の面に貼り合わせた剥離可能なフィルム体と、を有するインクジェット記録用布帛であって、前記布帛は、あらかじめ定型サイズにカットされたものである。
【００１６】
以下、本発明に好適な実施形態について、図面を用いて詳細に説明する。
【００１７】
１．インクジェット記録用布帛
図１は、本実施形態に係るインクジェット記録用布帛の一部分を示した斜視図である。
【００１８】
本実施形態に係るインクジェット記録用布帛１００は、図１に示すように、布帛１０の印字面の裏面に剥離可能なフィルム体１２を貼り合わせたものである。フィルム体１２を貼り合わせることにより、布帛の形状を固定することができるので、印字時における画像の歪みを防止することができる。また、印字時におけるインクの裏抜けを防止することもできる。
【００１９】
フィルム体１２は、布帛の形状を固定できる程度の強度を有するものであれば、特に限定されず種々の材質のものを使用することができる。フィルム体１２の材質としては、例えば、グラシン紙や加工用特殊上質紙などの紙、およびＰＥＴ系やＯＰＰ系の樹脂ラミネートフィルムを挙げることができる。フィルム体１２は、インク吸収性を有するとよい。インク吸収性を有すると、布帛の印字面の裏側に滲み出たインクをフィルム体１２が吸収することにより、布帛のインクによる汚染を防ぐことができる。
【００２０】
また、記録媒体の周囲に余白部分を形成せずに印刷する、いわゆるフチなし印刷では、余白を形成せずに記録媒体全面を印刷することが困難であるため、記録媒体から敢えてはみ出して印刷することが行われている。そうすると、はみ出して印刷されたインクにより、プリンタのプラテン（印刷位置において記録媒体を下から支える部材）が汚されてしまうため、このプラテンにインク吸収材を設ける必要があった。しかしながら、本実施形態に係るインクジェット記録用布帛を用いると、はみ出して印刷されたインクをフィルム体が吸収するため、プラテンにインク吸収材を設ける必要がないというメリットがある。かかる実施形態において、複数の布帛は隙間を設けてフィルム体に貼り合わされていることが好ましい。
【００２１】
フィルム体１２の厚さは、２０〜５００μｍであることができる。フィルム体１２の厚さが２０μｍ未満であると、強度不足で破れてしまうことがある。一方、５００μｍを超えると、巻取部でロール状に巻き取りにくくなることがある。このフィルム体１２は、印字後剥離する。
【００２２】
フィルム体１２を貼り合わせる糊材は、印字する布帛に影響がでないよう、フィルム体１２にあらかじめ塗工またはスプレーして付与しておいた後、布帛１０を貼り合わせるとよい。糊材は、水溶性、油溶性のどちらでもよく、例えば、ポリ酢酸ビニル、アクリル変性樹脂、エチレン−酢酸ビニル共重合体、ＳＢＲラテックス、ポリビニルアルコール、デンプン等を挙げることができる。
【００２３】
布帛１０としては、例えば、織物、編物、不織布等を挙げることができる。また、布帛の素材としては、例えば、アセテート、トリアセテート等の半合成繊維；ポリエステル、ナイロン、アクリル等の合成繊維；それらのうちの一つ以上を混紡、交織の形で使用するものを挙げることができる。この中では、後に詳細に説明するが、布帛を溶融カットしなければならないという観点から、融点が１２０℃付近と比較的低いポリエステル繊維を用いることが好ましい。
【００２４】
本実施形態に係るインクジェット記録用布帛１００は、図１に示すように、布帛１０のみがあらかじめ定型サイズにカットされている。布帛１０があらかじめ定型サイズにカットされていると、布帛１０に印字した後ユーザーによってカットする工程が不要となり、布帛１０に貼り合わされた台紙等１２を剥離するだけで印字された屋内外バナー、ノボリ、垂れ幕等を作ることができる。
【００２５】
ユーザー側で布帛を手切りすると、切断面における繊維のホツレや布帛の破れ等がしばしば発生する。また、これを修理するために切断面に透明テープを貼るなどして対応したとしても外観が損なわれてしまう。これらの問題は、布帛があらかじめ定型サイズにカットされていることにより解決することができる。ここで、定型サイズとは一般的に屋内外バナーやノボリ等で使用されるサイズをいうが、これらのサイズに特に限定されるものではなくユーザー側の使用形態に合わせたサイズを意味する。
【００２６】
布帛１０のみをカットするためには、「溶融カット」と呼ばれるカット方法を適用する。「溶融カット」とは、布帛を溶融できるがフィルム体を溶融できない温度を保持したヒートカッターを用いて、布帛の切断部分を溶着させながらカットする方法である。布帛のみを溶融カットすることにより、切断面１０ｂにおける繊維のホツレや布帛の破れの発生を防ぐことができる。溶融カットするためには、ヒートカッターや耐熱マット等の大型の設備を必要とするため、一般ユーザー側で行うことは多大な手間とコストがかかっていた。上記インクジェット記録用布帛１００は、こうしたユーザー側の手間とコストを著しく低減することができるものである。
【００２７】
本実施形態に係るインクジェット記録用布帛１００は、顔料インクまたは染料インクを用いてインクジェット方式により印字することができるが、顔料インクを用いる方が好ましい。インクジェット記録用布帛は、屋内外バナー、ノボリ、垂れ幕等の用途に用いられることが多いため、耐光性が要求されるからである。また、顔料インクは染料インクに比べ発色性がよく、裏面からも見ても画像を認識することができるからである。
【００２８】
インクとして顔料インクを用いる場合、あらかじめ布帛の印字面にインク受容剤で加工しておくと、布帛面の「にじみ」を抑制することができる。布帛をインク受容剤で加工しておく方法として、例えば、カチオン系樹脂を含む処理液（インク受容剤）を布帛の表面を加工する方法がある。この方法により、布帛の表面にインク受容層を形成することができる。布帛の表面にカチオン系樹脂を含むインク受容層が形成されると、布帛面の「にじみ」を抑制するだけでなく、耐水性を向上させることもできる。
【００２９】
インクジェット方式で使用する顔料インクは、イオン性のある高分子を添加し電気的反発力により顔料の分散効果を高めている。顔料インク中に添加されている高分子と対イオンとなる樹脂材を付与した布帛を用いることにより、画像を形成する部分のインク分子と樹脂分子との結合力を高めている。
【００３０】
カチオン系樹脂としては、アクリルアミド、ビニルアミン、アリルアミン、エチレンイミン、ジシアンジアミド等のポリマーおよびオリゴマーを挙げることができる。これらの樹脂は１種単独で用いてもよいし、２種以上を組み合わせて用いてもよい。カチオン系樹脂の分子量としては、１０００〜１００００の範囲であることが好ましい。上記範囲内にあると、布帛に対してその樹脂を均一に付与することができる。
【００３１】
上記カチオン系樹脂を含む処理液には、２価以上の金属が添加されていてもよい。これらの金属イオンは、光の屈折率を下げ鮮明性を高める効果を有している。２価の金属としては、Ｃｕ、Ｚｎ、Ｃａ、Ｓｎ、Ｂａ等を挙げることができる。３価の金属としては、Ａｌ、Ｆｅ等を挙げることができる。その他、上記２価以上の金属と同様の効果を得るために、アルミナ水和物、コロイダルシリカ、金属酸化物等の無機物、水不溶性コラーゲン微粒子、オイル乳化物、ポリスルホン酸エーテル、ワックス乳化物、多価アルコール脂肪族エステル、ポリエチレングリコール脂肪酸エステル、ステアリン酸エステル等の有機物を添加することもできる。
【００３２】
さらに、印字時において、インク吸収性能を発揮し布帛層へのインクの浸透、拡散を防ぐ効果を有する成分を処理液に含んでいてもよい。上記効果を期待できる物質としては、ポリウレタン、ポリスチレン、ポリアクリル等の合成樹脂、ウレタンゴム、ブタジエンゴム等のラテックス、およびこれらの混合物から選ぶことができるが、使用する布帛、使用する色材の構成および分子量により適宜選択する必要がある。
【００３３】
また、必要であれば上記処理液に、浸透剤、ｐＨ調整剤等を含んでいてもよい。浸透剤としては、オクチルアルコール、イソプロピルアルコール等のアルコール系、一般的な界面活性剤等を挙げることができる。また、ｐＨ調整剤としては、酢酸、酢酸アンモニウム、炭酸ナトリウム、硫酸アンモニウム等を挙げることができる。
【００３４】
カチオン系樹脂からなる処理液を付与する方法としては、布帛に直接塗布または噴霧する方法、また上記の処理液をフィルム上に形成し積層する方法等を挙げることができる。直接塗布または噴霧する方法としては、例えば、グラビア法、コーティング法、マングルパッド法等を挙げることができる。また、フィルム状に形成し積層する手段としては、ラミネート法等を挙げることができる。上記の処理液で処理加工することにより布帛面にインク受容層が形成される。このインク受容層が形成された布帛表面にインクジェット方式により印字が行われる。
【００３５】
２．インクジェット記録用布帛の製造方法
本発明の一実施形態に係るインクジェット記録用布帛の製造方法は、布帛の一方の面に、剥離可能な紙またはフィルムを貼り合わせる第１の工程と、前記布帛を定型サイズに溶融カットする第２の工程と、を含む。以下、本発明の一実施形態に係るインクジェット記録用布帛の製造方法の具体例について、図面を参照しながら説明するが、本発明の一実施形態に係るインクジェット記録用布帛の製造方法はこれらに限定されるものではない。
【００３６】
２．１  第１の工程
図２は、本実施形態に係るインクジェット記録用布帛の製造方法の第１の工程を模式的に示した図である。図２に示すように、第１の工程は、布帛１０と、フィルム体１２とを、糊材１６を介して貼り合わせる工程である。布帛１０は、上記のようにあらかじめ印字面にインク受容層を形成しておくことができる。
【００３７】
まず、布帛ロール１０ａとフィルム体ロール１２ａを同速度で回転させながら、糊材供給部１４から糊材１６を台紙１２に対して均一となるように塗布する。糊材１６の塗布方法としては、スプレー塗布、ロール塗布等を挙げることができる。次いで、布帛１０とフィルム体１２を貼合ロール１８により貼り合わせる。そして、布帛１０の印字面が表面となるように巻取部２０で巻き取ることにより、インクジェット記録用布帛ロール２２を得ることができる。
【００３８】
２．２  第２の工程
図３は、本実施形態に係るインクジェット記録用布帛の製造方法の第２の工程を模式的に示した図である。図３に示すように、第２の工程は、第１の工程で製造されたインクジェット記録用布帛ロール２２のうち布帛１０のみを定型サイズにカットする工程である。すなわち、フィルム体１２を切断してはならない。そこで、第２の工程では、上述した「溶融カット」と呼ばれる方法を適用する。具体的には、布帛１０を溶融しフィルム体１２を溶融しない温度を保持したヒートカッター２４を用いて、インクジェット記録用布帛２２のうち布帛１０のみを溶融カットする。この方法によれば、布帛１０よりも融点の高いフィルム体１２を用いることにより、布帛１０のみを溶着させながらカットすることができる。布帛１０の材質として、例えば、ポリエステル繊維を用いた場合、ポリエステル繊維は１２０℃付近で溶融するため、ヒートカッター２４の温度を１３０〜２００℃に設定すればよい。また、ヒートカッター２４の下方のフィルム体側に冷却部２４を設けておくと、フィルム体１２を冷却することができるので、フィルム体１２の溶融カットを予防することができる。ヒートカッター２４は、図３に示すような複数の切断部を有する回転式のものであってもよいし、１枚の切断部を有し上下に動作するものであってもよい。ヒートカッター２４により定型サイズにカットされたインクジェット記録用布帛２２は、布帛１０の印字面が表面となるように巻取部２８で巻き取られて完成する。
【００３９】
２．３  変型例
上記の実施形態では、布帛と台紙が貼り合わされた後、布帛のみを定型サイズに溶融カットするという方法であった。この変型例として、以下の方法を適用することもできる。
【００４０】
あらかじめ定型サイズにカットされたインクジェット記録用布帛を、糊材が均一に塗布された台紙等に１枚ずつ貼り合わせることもできる。この変型例においても、インクジェット記録用布帛を溶融カットすることが好ましい。溶融カットすると、切断部分を溶着させながら切断することができるため、切断面における繊維のホツレや布帛の破れの発生を防ぐことができるからである。この変型例によっても、布帛をフィルム体上の一方の面に、隙間を設けて貼り合わせることができる。この方法によれば、隙間の長さを容易に調整することができるというメリットがある。
【００４１】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【図面の簡単な説明】
【００４２】
【図１】本実施形態に係るインクジェット記録用布帛の一部分を示した斜視図。
【図２】本実施形態に係るインクジェット記録用布帛の製造方法の第１の工程を模式的に示した図。
【図３】本実施形態に係るインクジェット記録用布帛の製造方法の第２の工程を模式的に示した図。
【符号の説明】
【００４３】
１０…布帛、１０ａ…布帛ロール、１０ｂ…（布帛の）切断面、１２…フィルム体、１２ａ…フィルム体ロール、１４…糊材供給部、１６…糊材、１８…貼合ロール、２０…巻取部、２２…インクジェット記録用布帛ロール、２４…ヒートカッター、２６…冷却部、２８…巻取部、１００…インクジェット記録用布帛
【図１】
2009045887.tif 000003
【図２】
2009045887.tif 000004
【図３】
2009045887.tif 000005